(57)【特許請求の範囲】
【請求項１】
家具本体に対して開閉可能な移動体に、当該移動体の開閉方向に往復動可能な把手部材と、前記家具本体の係止部に回動にて係脱するラッチ体とが設けられており、前記ラッチ体は係合方向に付勢されており、前記把手部材を前記移動体の開き方向に移動させると前記ラッチ体が係合解除方向に回動するように、前記把手部材と前記ラッチ体とが連動機構を介して関連している構成であって、
前記ラッチ体はその回動軸線と交差する方向に延びる作動体を備えており、前記把手部材の一端部または両端部には前記作動体と略平行状に延びる押圧体を備えている一方、前記連動機構は、前記ラッチ体の回動軸線と交差する方向に延びる回動軸部と、前記回動軸部から半径方向外向きに突出して前記押圧体に当接または近接する第１アーム部と、前記回動軸部から半径方向外向きに突出して前記作動体に当接または近接する第２アーム部とで形成された連動杆から成っており、
前記把手部材を前記移動体の開き方向に移動させると、前記押圧体が前記連動杆の第１アーム部を押圧して前記連動杆を前記回動軸部の軸心周りに回動させると共に、前記連動杆の第２アーム部が前記作動体を押圧して前記ラッチ体が係合解除方向に回動する、
家具におけるラッチ装置。
【請求項２】
家具本体に対して開閉可能な移動体に、当該移動体の開閉方向に回動可能な把手部材を設け、
前記移動体には、前記家具本体の係止部に係脱するラッチ体を、その軸線周りに回動可能で、かつ、係合方向に付勢されるように配設し、
前記把手部材を前記移動体の開き方向に回動させると前記ラッチ体が係合解除方向に回動するように、前記把手部材と前記ラッチ体とが連動機構を介して関連している、
家具におけるラッチ装置。
【請求項３】
前記ラッチ体はその軸線と交差する方向に延びる作動体を備えており、前記把手部材の一端部または両端部には前記作動体と略平行状に延びる押圧体を備えている一方、
前記連動機構は、前記ラッチ体の回動軸線と交差する方向に延びる回動軸部と、前記回動軸部から半径方向外向きに突出して前記押圧体に当接または近接する第１アーム部と、前記回動軸部から半径方向外向きに突出して前記作動体に当接または近接する第２アーム部とで形成された連動杆から成っており、
前記把手部材を前記移動体の開き方向に回動させると、前記押圧体が前記連動杆の第１アーム部を押圧して前記連動杆を前記回動軸部の軸心周りに回動させると共に、前記連動杆の第２アーム部が前記作動体を押圧して前記ラッチ体が係合解除方向に回動する、
請求項２に記載した家具におけるラッチ装置。
【請求項４】
前記ラッチ体はその回動軸線と交差する方向に延びる作動体を備えており、前記把手部材の一端部には前記作動体と略平行状に延びる押圧体を備えている一方、
前記連動機構は、前記ラッチ体の回動軸線と略平行状に延びる枢軸部と、前記枢軸部を挟んで両側に突出するアーム部とで形成された伝動杆から成っており、
前記把手部材を前記移動体の開き方向に回動させると、前記押圧体が前記一方のアーム部を押圧して前記伝動杆を前記枢軸部周りに回動させると共に、前記他方のアーム部が前記作動体を押圧して前記ラッチ体が係合解除方向に回動する、
請求項２に記載した家具におけるラッチ装置。
【請求項５】
前記把手部材を、前記移動体に対して基端部が前記開閉方向に回動可能に枢着された２つの指掛け部材に分離構成し、
これら両指掛け部材の先端部が前記移動体の開閉方向に往復動するように、一方の指掛け部材の先端部に他方の指掛け部材の先端部を回動可能に枢着している、
請求項４に記載した家具におけるラッチ装置。
【発明の詳細な説明】
【０００１】
【発明の属する技術分野】
本発明は、キャビネットやロッカー等の家具本体に対して開閉可能な抽斗や扉等の移動体に設けたラッチ装置の構造に関するものである。
【０００２】
【従来の技術】
一般に、キャビネットやロッカー等の家具本体に対して開閉可能な抽斗は、これを前記家具本体に押し込んだ状態に保持するためのラッチ装置を備えて、家具本体から不用意に飛び出さないように構成されている。この種のラッチ装置として、抽斗に上下回動可能に設けた把手部材を上下いずれの方向に回動させてもラッチ体が家具本体から係合解除する構成が、例えば実公平６−３９２２号公報に記載されている。
【０００３】
この例では、抽斗の鏡板に形成した凹所内に、前面開口した中空状の把手部材を上下回動可能に設ける一方、前記抽斗には、家具本体に係脱するラッチ体を回動可能に配設し、前記把手部材と前記ラッチ爪とを、前記把手部材の上向き回動及び下向き回動に伴って、前記ラッチ爪が前記家具本体から外れるように連動連結することにより、手のひらを上下いずれの向きにして前記把手部材内に指を挿入しても、前記ラッチ爪を前記家具本体から係合解除して前記抽斗を引き出せるようになっている。
【０００４】
【発明が解決しようとする課題】
しかし、前記先行技術の構成において、前記抽斗を引き出すためには、前記把手部材内に挿入した指で、前記把手部材を上向きまたは下向きに回動させながら手前に引くという操作をしなければならないから、引出し操作をワンタッチ的に実行できなくて面倒であるという問題があった。
【０００５】
その上、前記把手部材と前記ラッチ爪とを連動連結する構造がかなり複雑であるので、製造コストが嵩むばかりか、前記構造の複雑さに起因して、前記ラッチ爪を前記家具本体から係合解除できない等の故障が発生し易いという問題もあった。本発明は、以上の問題を解消したラッチ装置を提供することを技術的課題とするものである。
【０００６】
【課題を解決するための手段】
請求項１の発明に係るラッチ装置は、家具本体に対して開閉可能な移動体に、当該移動体の開閉方向に往復動可能な把手部材と、前記家具本体の係止部に回動にて係脱するラッチ体とが設けられており、前記ラッチ体は係合方向に付勢されており、前記把手部材を前記移動体の開き方向に移動させると前記ラッチ体が係合解除方向に回動するように、前記把手部材と前記ラッチ体とが連動機構を介して関連している構成である。
そして、前記ラッチ体はその回動軸線と交差する方向に延びる作動体を備えており、前記把手部材の一端部または両端部には前記作動体と略平行状に延びる押圧体を備えている一方、前記連動機構は、前記ラッチ体の回動軸線と交差する方向に延びる回動軸部と、前記回動軸部から半径方向外向きに突出して前記押圧体に当接または近接する第１アーム部と、前記回動軸部から半径方向外向きに突出して前記作動体に当接または近接する第２アーム部とで形成された連動杆から成っており、前記把手部材を前記移動体の開き方向に移動させると、前記押圧体が前記連動杆の第１アーム部を押圧して前記連動杆を前記回動軸部の軸心周りに回動させると共に、前記連動杆の第２アーム部が前記作動体を押圧して前記ラッチ体が係合解除方向に回動する。
【０００７】
請求項２の発明に係るラッチ装置は、家具本体に対して開閉可能な移動体に、当該移動体の開閉方向に回動可能な把手部材を設け、前記移動体には、前記家具本体の係止部に係脱するラッチ体を、その軸線周りに回動可能で、かつ、係合方向に付勢されるように配設し、前記把手部材を前記移動体の開き方向に回動させると前記ラッチ体が係合解除方向に回動するように、前記把手部材と前記ラッチ体とが連動機構を介して関連している。
【０００８】
請求項３の発明は、請求項２に記載したラッチ装置において、前記ラッチ体はその軸線と交差する方向に延びる作動体を備えており、前記把手部材の一端部または両端部には前記作動体と略平行状に延びる押圧体を備えている一方、前記連動機構は、前記ラッチ体の回動軸線と交差する方向に延びる回動軸部と、前記回動軸部から半径方向外向きに突出して前記押圧体に当接または近接する第１アーム部と、前記回動軸部から半径方向外向きに突出して前記作動体に当接または近接する第２アーム部とで形成された連動杆から成っており、前記把手部材を前記移動体の開き方向に回動させると、前記押圧体が前記連動杆の第１アーム部を押圧して前記連動杆を前記回動軸部の軸心周りに回動させると共に、前記連動杆の第２アーム部が前記作動体を押圧して前記ラッチ体が係合解除方向に回動するように構成したというものである。
【０００９】
また、請求項４の発明は、請求項２に記載したラッチ装置において、前記ラッチ体はその回動軸線と交差する方向に延びる作動体を備えており、前記把手部材の一端部には前記作動体と略平行状に延びる押圧体を備えている一方、前記連動機構は、前記ラッチ体の回動軸線と略平行状に延びる枢軸部と、前記枢軸部を挟んで両側に突出するアーム部とで形成された伝動杆から成っており、前記把手部材を前記移動体の開き方向に回動させると、前記押圧体が前記一方のアーム部を押圧して前記伝動杆を前記枢軸部周りに回動させると共に、前記他方のアーム部が前記作動体を押圧して前記ラッチ体が係合解除方向に回動するものである。
【００１０】
さらに、請求項５の発明は、請求項４に記載したラッチ装置において、前記把手部材を、前記移動体に対して基端部が前記開閉方向に回動可能に枢着された２つの指掛け部材に分離構成し、これら両指掛け部材の先端部が前記移動体の開閉方向に往復動するように、当該一方の指掛け部材の先端部に、当該他方の指掛け部材の先端部を回動可能に枢着したものである。
【００１１】
【００１２】
【００１３】
【発明の実施の形態】
以下、本発明を具体化した実施形態を図面に基づいて説明する。
【００１４】
(1).第１実施形態
図１〜図８は本発明の請求項１に対応した第１実施形態を示している。この実施形態は、本発明に係るラッチ装置をキャビネットの抽斗２に適用したものである。第１実施形態のキャビネットは、前面開口した金属板製のキャビネット本体１内に、前後摺動可能な移動体としての抽斗２を上下方向に複数段備えている（図１には最上段の抽斗２のみを示す。）。
【００１５】
抽斗２は、正面視略矩形状の鏡板４と、この鏡板４の裏面に取り付けた上面開口状のトレイ３とで構成されている。図２に示すように、鏡板４は、周囲に囲い壁２３ａを一体成形してなる合成樹脂製の前板２３と、当該前板２３の裏側に装着した金属板製の裏板２４とで中空状に形成されている。正面視で囲い壁２３ａの左側部に穿設した取付け部１７からは、トレイ３の左側板に沿って延びるラッチ体１５のラッチ爪１４が後ろ向きに突出している。
【００１６】
次に、第１実施形態におけるラッチ装置の構成について説明する。図１〜図５に示すように、前板２３の左右略中央部には、引手凹所５が凹み形成されており、前板２３の表面（前面）のうち引手凹所５に臨む箇所には、左右長手の固定引手部材６が、引手凹所５を横断するようにねじ７で固定されている。この固定引手部材６の内面（裏面）の左右両端部には、上下一対のガイド片９ａ，９ｂが引手凹所５内に突出するように設けられている。
【００１７】
引手凹所５内には、把手部材としての可動引手部材８が、上下一対のガイド片９ａ，９ｂの間に嵌まった状態で、前後方向（抽斗２の開閉方向）に摺動可能に装着されている。この場合、引手凹所５の左右両内側面に穿設した前後長手の案内穴２５に、可動引手部材８の左右両端部から左右外向きに突出する押圧体としての支持片８ａ，８ｂをそれぞれ貫通させることにより、可動引手部材８は前後摺動可能に構成されている (図２及び図３参照）。
【００１８】
固定引手部材６の各上ガイド片９ａに穿設した前後長手の長溝穴１１には、可動引手部材８の上面に上向き突設した案内ピン１０が嵌め込まれている。これにより、可動引手部材８の前後摺動のストロークが規制されるとともに、当該可動引手部材８が安定的に支持されている。また、各上ガイド片９ａの内面には、この上ガイド片９ａの長溝穴１１内に可動引手部材８の案内ピン１０を容易に嵌めるための傾斜溝１２が設けられている（図２及び図５参照）。
【００１９】
次に、ラッチ体１５の構成について説明する。図２及び図７に示すように、正面視で囲い壁２３ａの左側部に穿設した取付け部１７の箇所には、合成樹脂製または鋼板製のラッチ体１５が、縦軸線２６（図３及び図７の１点鎖線参照）周りに回動可能に配設されている。
【００２０】
ラッチ体１５は、丸軸状の胴部２７を有しており、胴部２７の側面に、キャビネット本体１の左内側面に内向き突設した係止部としての係合突起１３に引っ掛けるための孔状係合部１４ａ付きのラッチ爪１４と、湾曲板状のばね片１８と、引手凹所５に向かって略水平状に延びる接当片１９とを一体成形してなるものである（図２、図３、図６及び図７参照）。
【００２１】
胴部２７の上端面には、当該胴部２７の外径より小さい外径の上軸支部２８が一体成形されている。この上軸支部２８の上端面には、角穴状の嵌合穴１５ａが穿設されている。また、胴部２７の下端面にも、当該胴部２７の外形より小さい外径の下軸支部２９が一体成形されている。下軸支部２９には、略Ｌ字状の第２接当片３９が、ラッチ体１５と一体的に軸部３９ａ周りに回動するように取り付けられている（図３及び図７参照）。第２接当片３９では、軸部３９ａから水平方向に延びる水平部３９ｂがラッチ体１５の縦軸線２６に略直交するように設定されている。
【００２２】
接当片１９及び第２接当片３９は、請求項に記載した作動体に相当するものであるが、本発明に係るラッチ装置では、接当片１９及び第２接当片３９のうち少なくともいずれか一方がラッチ体１５に備わっていればよい。
【００２３】
他方、図２、図３及び図７に示すように、囲い壁２３ａにおける取付け部１７の箇所には、右側面を開口した略角筒状のラッチケース１６が着脱可能に装着されている。このラッチケース１６の上板部及び下板部には、ラッチ体１５の上下軸支部２８，２９をそれぞれ回動可能に支持するための右向き開口状の軸受穴１６ａが形成されている。
【００２４】
また、ラッチケース１６の後板部には、右向き開口状の切欠き部３０が形成されている。この切欠き部３０には上下一対の溝部１６ｂが形成されるとともに、左側縁に爪片１６ｃが切り開き形成されている。
【００２５】
この場合、ラッチケース１６の上下一対の溝部１６ｂを、前板２３の囲い壁２３ａに穿設した取付け部１７の上下内側縁１７ａに各々嵌め込むとともに、ラッチケース１６の爪片１６ｃを、囲い壁２３ａに穿設した係合穴１７ｂに嵌め込むことにより、ラッチケース１６が囲い壁２３ａに対して着脱可能に装着されている。
【００２６】
そして、ラッチケース１６の上軸受穴１６ａにラッチ体１５の上軸支部２８を押し込み挿入するとともに、ラッチケース１６の下軸受穴３２にラッチ体１５の下軸支部２９を押し込み挿入することにより、ラッチ体１５が前板２３に対して胴部２７周り、すなわち、縦軸線２６周りに回動可能に軸支されている。
【００２７】
図２及び図６に示すように、ラッチ体１５に一体成形したばね片１８は、先端部が前板２３の内面（裏面）に当接するように設定されている。したがって、ラッチ爪１４の孔状係合部１４ａが、常時、キャビネット本体１の係合突起１３に対して係合するようにばね付勢されている（図２では矢印Ｂ方向）。
【００２８】
なお、ラッチ爪１４に爪状の係合部を設けて、キャビネット本体１の係止部としての孔状係合部に係合するように構成してもよい。また、ラッチ体１５とは別体のばね手段でラッチ爪１４を係合方向に付勢するように構成してもよい。
【００２９】
次に、連動機構の構成について説明する。鏡板４内において引手凹所５の上方箇所には、連動機構としての連動杆２０が、囲い壁２３ａの上部の適宜箇所に嵌め込み固定された軸受片２１（図３、図４及び図８参照）で、左右長手の回動軸部２０ｄ周りに回動可能に軸支されている。
【００３０】
図２及び図３に示すように、連動杆２０は、前述した回動軸部２０ｄと、この回動軸部２０ｄから下向きに突出する第１アーム部２０ａ，２０ｂ及び第２アーム部２０ｃとで正面視略Ｅ字状に形成されている。なお、回動軸部２０ｄは、正面視でラッチ体１５の縦軸線２６と略直交しているが、これに限らず、正面視で交差する関係であればよい。
【００３１】
回動軸部２０ｄの長手方向中途部から下向き突出する左第１アーム部２０ａは、可動引手部材８の左支持片８ａよりも前板２３寄りに位置して、当該左支持片８ａに当接または近接するとともに、回動軸部２０ｄの右端から下向きに突出する右第１アーム部２０ｂは、可動引手部材８の右支持片８ｂよりも前板２３寄りに位置して、当該右支持片８ｂに当接または近接するように設定されている。
【００３２】
この場合、可動引手部材８の各支持片８ａ，８ｂの前面に設けた係合部８ｃに、これに対応する第１アーム部２０ａ，２０ｂを嵌め込むことにより、連動杆２０が回動軸部２０ｄの軸方向へずれないように構成されている。
【００３３】
なお、可動引手部材８の各支持片８ａ，８ｂに、これに対応する第１アーム部２０ａ，２０ｂを当接または近接させるだけの構成であってもよい。また、可動引手部材８の支持片は、左右両端部に設けるに限らず、いずれか一方のみであってもよい。この場合、連動杆２０には、いずれか一方の支持片に対応する第１アーム部のみを設ければよい。
【００３４】
他方、図２、図３及び図６に示すように、回動軸部２０ｄの左端から下向きに突出する第２アーム部２０ｃは、ラッチ体１５の接当片１９よりも裏板２４寄りに位置して、この接当片１９に当接または近接するように設定されている。
【００３５】
次に、第１実施形態におけるラッチ装置の作動態様について説明する。キャビネット本体１内に抽斗２を押し込むと、ばね片１８の弾性付勢力により、ラッチ爪１４がキャビネット本体１の係合突起１３に係合し、抽斗２がキャビネット本体１内に収納した状態で保持される（図２参照）。
【００３６】
手のひらを上向きまたは下向きにして引手凹所５内に指を挿入し、固定引手部材６及び可動引手部材８を掴んで鏡板４の前方に引くことにより、当該可動引手部材８を前方向（抽斗２の開き方向、図２では矢印Ａ方向）に摺動させると、左右両支持片８ａ，８ｂが第１アーム部２０ａ，２０ｂを前板２３方向に押圧し、連動杆２０を回動軸部２０ｄ周りに矢印Ｄ方向（図２参照）に回動させて、第２アーム部２０ｃが接当片１９を前板２３方向に押圧回動させるから（図６の２点鎖線状態参照）、ラッチ体１５の胴部２７が縦軸線２６周りに矢印Ｃ方向 (図２参照）に回動して、ラッチ爪１４の孔状係合部１４ａがキャビネット本体１の係合突起１３から外れて係合解除される。
【００３７】
そして、固定引手部材６及び可動引手部材８をさらに手前に引くと、抽斗２がキャビネット本体１から引き出される。
【００３８】
以上のことから、第１実施形態のラッチ装置によると、固定引手部材６及び可動引手部材８を掴んで手前に引くというワンタッチ的な操作をするだけで、ラッチ体１５をキャビネット本体１の係合突起１３から係合解除して抽斗２を簡単に引き出すことができる。この場合、手のひらを上下いずれの向きにしても固定引手部材６及び可動引手部材８を掴めるので、引出し操作性もよい。
【００３９】
また、可動引手部材８の摺動力をラッチ体１５に伝達するための機構を、可動引手部材の左右両支持片８ａ，８ｂと、連動杆２０と、ラッチ体１５の接当片１９とで構成することにより、前記先行技術に比べて、ラッチ装置の構造が至極簡単で、部品点数も少なくて済むので、製造コストを低減できるとともに、ラッチ体１５をキャビネット本体１の係合突起１３から係合解除できない等の故障の発生を少なくできる。
【００４０】
さらに、部品点数が少ないので、組立ても簡単になるし、ラッチ装置全体のコンパクト化を図ることもできる。
【００４１】
(2).第２実施形態
ところで、例えば、各段の抽斗２における鏡板４の上下寸法がそれぞれ異なる場合には、通常、各抽斗２とも、連動杆２０の取付け位置は鏡板４の上端から略一定の高さに設定されるとともに、ラッチ体１５の高さ位置は鏡板４の下端から略一定の高さに設定されるので、連動杆２０とラッチ体１５との上下配置間隔はそれぞれの抽斗２で異なることになる。
【００４２】
そこで、図９（ａ）〜（ｃ）に示す第２実施形態では、連動杆２０の第２アーム部２０ｃを、回動軸部２０ｄの左端に取り付く略Ｌ字状の逃がし連設部２０ｅと、この逃がし連接部２０ｅの先端から下向きに延びる垂直部２０ｆとで段付き状に形成している。
【００４３】
そして、図９（ａ）に示すように、鏡板４の上下寸法が小さい場合、換言すると、連動杆２０の回動軸部２０ｄの軸線からラッチ爪１４までの上下寸法Ｔ１が小さい場合には、第２アーム部２０ｃの垂直部２０ｆを第２接当片３９の水平部３９ｂに裏板２４側から当接または近接させるように、連動杆２０とラッチ体１５との上下配置間隔を設定する。この場合、第２アーム部２０ｃの逃がし連接部２０ｅは接当片１９と干渉しないように設定する。
【００４４】
また、図９（ｂ）に示すように、鏡板４の上下寸法が中程度の場合、換言すると、回動軸部２０ｄの軸線からラッチ爪１４までの上下寸法Ｔ２がやや大きい場合には、第２アーム部２０ｃの垂直部２０ｆを接当片１９に裏板２４側から当接または近接させるように、連動杆２０とラッチ体１５との上下配置間隔を設定する。
【００４５】
さらに、図９（ｃ）に示すように、鏡板４の上下寸法が大幅に大きい場合、すなわち、回動軸部２０ｄの軸線からラッチ爪１４までの上下寸法Ｔ３が大幅に大きい場合には、ラッチ体１５の上軸支部２８に設けた嵌合穴１５ａに、作動体としての逆Ｌ字状の第３接当片４０を嵌め込んで、第２アーム部２０ｃの垂直部２０ｆを裏板２４側から第３接当片４０の水平部４０ｂに当接または近接させるように、連動杆２０とラッチ体１５との上下配置間隔を設定する。
【００４６】
以上のように構成すると、連動杆２０とラッチ体１５との上下配置間隔を変更するだけで、鏡板４の上下寸法が異なるものにも、ラッチ装置を簡単に取り付けることができ、汎用性が広いのである。
【００４７】
(3).第３実施形態
図１０では、可動引手部材８を前後摺動可能に安定支持する手段の別例である第３実施形態を示している。すなわち、図１０に示す第３実施形態では、第１実施形態における固定引手部材６に代えて、左右両端部に上下一対のガイド片３２ａ，３２ｂを有する平面視略コ字状の固定支持部材３１が、引手凹所５内に、当該各ガイド片３２ａ，３２ｂを前向き突出させるようにねじ３３止めされている。そして、把手部材としての可動引手部材８が、左右のガイド片対３２ａ，３２ｂの間に嵌まった状態で、前後方向（抽斗２の開閉方向）に摺動可能に装着されている。その他の構成は第１実施形態と同様であるので、詳細な説明を省略する。
【００４８】
このように、可動引手部材８を前後摺動可能に安定支持する手段は、第１実施形態における固定引手部材６に限るものではない。また、可動引手部材８を引手凹所５内に前後摺動可能に取り付けただけであってもよい。
【００４９】
(4).参考例
図１１では参考例では参考例を示している。すなわちこの参考例では、引手凹所５内で前後摺動可能に構成した可動引手部材８′の左右両支持片８ａ′，８ｂ′のうち左支持片８ａ′を、さらに左方向に延出させることにより、連動機構を介さずに、左支持片８ａ′をラッチ体１５の接当片１９に裏板２４側から当接または近接させている。その他の構成は、第１実施形態と同様であるので、詳細な説明を省略する。
【００５０】
この構成では、可動引手部材８′を前方向（図１１では矢印Ａ′方向）に摺動させると、左支持片８ａ′が、直接、接当片１９を前板２３方向に押圧回動させるので、ラッチ体１５が矢印Ｃ′方向に回動して、ラッチ爪１４の孔状係合部１４ａがキャビネット本体１の係合突起１３から外れて係合解除される。
【００５１】
したがって、この場合も、固定引手部材６及び可動引手部材８′を掴んで手前に引くというワンタッチ的な操作をするだけで、抽斗２を簡単に引き出すことができる。また、参考例の構成では連動機構を必要としないから、部品点数もより少なくて済み、さらなる製造コストの低減が可能となる。
【００５２】
なお、第１〜第３実施形態及び参考例のラッチ装置は、ラッチ体１５を正面視で鏡板４の左側に設けた例であったが、これに限らず、鏡板４の右側に設けたり左右両側に設けたりした場合にも適用できる。
【００５３】
(5).第４実施形態
図１２では、請求項２に対応した第４実施形態として、把手部材としての可動引手部材の別例を示している。すなわち、図１２の第４実施形態では、前板２３にねじ止めした固定引手部材３４の内面の右端部に設けた上下一対のブラケット３５ａ，３５ｂに対して、把手部材としての可動引手部材３６が、右端部の枢支ピン３７周りに回動可能に枢着されている。また、引手凹所５の左内側面に穿設した前後長手の案内穴２５には、可動引手部材３６の左端部から外向き突出する押圧体としての支持片３６ａを貫通させている。
【００５４】
鏡板４内において引手凹所５の上方箇所には、連動機構としての連動杆３８が左右長手の回動軸部３８ｄ周りに回動可能に軸支されている。連動杆３８は、前述した回動軸部３８ｄと、この回動軸部３８ｄから下向きに突出する第１アーム部３８ａ及び第２アーム部３８ｃとで正面視略コ字状に形成されている。
【００５５】
第１アーム部３８ａは、可動引手部材３６の支持片３６ａよりも前板２３寄りに位置して、当該支持片３６ａに当接または近接するように設定されている。また、第２アーム部３８ｃは、ラッチ体１５の接当片１９よりも裏板２４寄りに位置して、この接当片１９に当接または近接するように設定されている。その他の構成は、第１実施形態と同様であるので、詳細な説明を省略する。
【００５６】
以上の構成において、手のひらを上向きまたは下向きにして引手凹所５内に指を挿入し、固定引手部材３４及び可動引手部材３６を掴んで鏡板４の前方に引くことにより、当該可動引手部材３６を前方向（抽斗２の開き方向、図１２では矢印Ｅ方向）に回動させると、支持片３６ａが第１アーム部３８ａを前板２３方向に押圧し、連動杆３８を回動軸部３８ｄ周りに矢印Ｇ方向（図１２参照）に回動させて、第２アーム部３８ｃが接当片１９を前板２３方向に押圧回動させるから、ラッチ体１５が矢印Ｆ方向 (図１２参照）に回動して、ラッチ爪１４の孔状係合部１４ａがキャビネット本体１の係合突起１３から外れて係合解除される。
【００５７】
そして、固定引手部材３４及び可動引手部材３６をさらに手前に引くと、抽斗２がキャビネット本体１から引き出される。
【００５８】
したがって、この場合も、固定引手部材３４及び可動引手部材３６を掴んで手前に引くというワンタッチ的な操作をするだけで、抽斗２を簡単に引き出すことができ、第１実施形態と同様の効果を奏するのである。
【００５９】
(6).第５実施形態
図１３に示す第５実施形態では、引手凹所５内で枢支ピン３７′周りに前後回動可能に構成した可動引手部材３６′の左端部の支持片３６ａ′を、さらに左方向に延出させることにより、連動機構を介さずに、支持片３６ａ′をラッチ体１５の接当片１９に裏板２４側から当接または近接させている。その他の構成は、第４実施形態と同様であるので、詳細な説明を省略する。
【００６０】
この構成では、可動引手部材３６′を前方向（図１３では矢印Ｅ′方向）に摺動させると、支持片３６ａ′が、直接、接当片１９を前板２３方向に押圧回動させるので、ラッチ体１５が矢印Ｆ′方向 (図１３参照）に回動して、ラッチ爪１４の孔状係合部１４ａがキャビネット本体１の係合突起１３から外れて係合解除される。
【００６１】
したがって、この場合も、固定引手部材３４及び可動引手部材３６′を掴んで手前に引くというワンタッチ的な操作をするだけで、抽斗２を簡単に引き出すことができる。また、第５実施形態の構成では連動機構を必要としないから、部品点数もより少なくて済み、さらなる製造コストの低減が可能となる。
【００６２】
なお、第４及び第５実施形態のラッチ装置は、ラッチ体１５を鏡板４の右側に設けた場合にも適用できる。
【００６３】
(7).第６実施形態
図１４〜図１６は本発明の請求項４，５に対応した第６実施形態を示しており、これは請求項４に対応している。この第６実施形態のキャビネットは、前面開口した金属板製のキャビネット本体４１内に、前後摺動可能な移動体としての抽斗４２を上下方向に複数段（図１４（ａ）では３段）備えている。これら各抽斗４２のラッチ装置は基本的に同じ構成であるので、最上段の抽斗４２及びそのラッチ装置を代表として、以下に説明する。
【００６４】
抽斗４２は、正面視略矩形状の鏡板４４と、この鏡板４４の裏面に取り付けた上面開口状のトレイ４３とで構成されている。鏡板４４は、周囲に囲い壁４５ａを一体成形してなる合成樹脂製の前板４５と、当該前板４５の裏側に装着した金属板製の裏板４６とで中空状に形成されており（図１６参照）、正面視で裏板４６の右側部に設けた穴からは、トレイ４３の右側板に沿って延びるラッチ爪４８が後ろ向きに突出している（図１４及び図１６参照）。
【００６５】
次に、第６実施形態におけるラッチ装置の構成について説明する。前板４５の左右略中央部に凹み形成された引手凹所４９内には、左右長手で平面視略Π字状の固定引手部材５１が配置されている。この場合、固定引手部材５１の内面（裏面）の長手方向中途部に突設した２つのボス部５２を、引手凹所４９に穿設した取付け穴５０にそれぞれ挿通した状態で、裏板４６の裏面側からねじ６７止めすることにより、固定引手部材５１を引手凹所４９に臨ませている。
【００６６】
固定引手部材５１の内面（裏面）には、引手凹所４９に向かって開口する溝部５３が形成されており、この内面側の左右両端部には、上下一対のブラケット５４，５５（図１５及び図１６参照）がそれぞれ引手凹所４９内に突出するように設けられている。
【００６７】
図１５及び図１６に示すように、固定引手部材５１の左ブラケット対５４，５５に対しては、左指掛け部材５６が、長手方向中途部の貫通穴５７に固定引手部材５１の左ボス部５２を遊嵌させた状態で、基端部の枢支ピン５８周りに回動可能に枢着されている。同様に、固定引手部材５１の右ブラケット対５４，５５に対しては、右指掛け部材６１が、長手方向中途部の貫通穴６２に固定引手部材５１の右ボス部５２を遊嵌させた状態で、基端部の枢支ピン６３周りに回動可能に枢着されている。
【００６８】
そして、左指掛け部材５６の先端部に突設した上下一対の突出片５９，６０の間に、右指掛け部材６１の先端部を嵌め込んで、前記両突出片５９，６０における横長の溝穴５９ａ，６０ａに、右指掛け部材６１の先端部に上下外向きに突設した枢支突起６４，６５を枢着することにより、これら両指掛け部材５６，６１が平面視略く字状に折れるようにして、先端部が前後方向（抽斗４２の開閉方向）に往復動する構成となっている。
【００６９】
また、右指掛け部材６１の基端部から外向き突出する押圧体としての支持片６１ａは、引手凹所４９の右内側面に穿設した前後長手の案内穴６６を貫通している。左右両指掛け部材５６，６１は請求項に記載した把手部材に相当する。
【００７０】
次に、ラッチ体４７の構成について説明する。正面視で裏板４６の右側部に穿設した穴の箇所には、合成樹脂製または鋼板製のラッチ体４７が、前板４５の内面（裏面）に突設した軸受部材７７で、縦軸線７０（図１５の１点鎖線参照）周りに回動可能に軸支されている。
【００７１】
当該ラッチ体４７は、キャビネット本体４１の右内側面に内向き突設した係止部としての係合突起７１に引っ掛けるための孔状係合部４８ａ付きのラッチ爪４８と、湾曲板状のばね片７２とを備えており、ラッチ体４７の上端面には、作動体としての略Ｌ字状の作動杆７３が、ラッチ体４７と一体的に軸部７３ａ周りに回動するように取り付けられている。作動杆７３の軸部７３ａは、前板４５の内面（裏面）のうち軸受部材７７の上方箇所に突設した軸支片７４でも回動可能に支持されており、軸部７３ａから水平方向に延びる水平部７３ｂは、ラッチ体４７の縦軸線７０に略直交するように設定されている。
【００７２】
ラッチ体４７に一体成形したばね片７２は、先端部が前板４５の内面（裏面）に当接するように設定されている（図１６参照）。これにより、ラッチ爪４８の孔状係合部４８ａが、常時、キャビネット本体４１の係合突起７１に対して係合するようにばね付勢されている（図１６（ａ）では矢印Ｈ方向）。
【００７３】
次に、連動機構の構成について説明する。鏡板４４内において引手凹所４９と軸支片７４との間の箇所には、連動機構としての伝動杆７５が、裏板４６の表面（前面）の適宜箇所に取り付けた軸支部材７６（図１５及び図１６参照）で、上下長手の枢軸部７５ｃ周りに回動可能に軸支されている。
【００７４】
図１５に示すように、伝動杆７５は、前述した枢軸部７５ｃと、この枢軸部７５ｃを挟んで左右両側に突出する略Ｌ字状のアーム部７５ａ，７５ｂとで略Ｓ字状に形成されている。
【００７５】
伝動杆７５の左アーム部７５ａは、右指掛け部材６１の支持片６１ａよりも裏板４６寄りに位置して、当該支持片６１ａに当接または近接する一方、伝動杆７５の右アーム部７５ｂは、ラッチ体４７の作動杆７３よりも裏板４６寄りに位置して、この作動杆７３に当接または近接するように設定されている（図１６参照）。
【００７６】
次に、第６実施形態におけるラッチ装置の作動態様について説明する。キャビネット本体４１内に抽斗４２を押し込むと、ばね片７２の弾性付勢力により、ラッチ爪４８がキャビネット本体４１の係合突起７１に係合し、抽斗４２がキャビネット本体４１内に収納した状態で保持される（図１６（ａ）参照）。
【００７７】
手のひらを上向きまたは下向きにして引手凹所４９内に指を挿入し、固定引手部材５１及び左右両指掛け部材５６，６１を掴んで鏡板４４の前方に引くことにより、当該両指掛け部材５６，６１を平面視略く字状に折るように、先端部を前方向（抽斗４２の開き方向、図１６（ｂ）では矢印Ｊ方向）に移動させると、支持片６１ａが枢支ピン６３周りに矢印Ｋ方向（図１６（ｂ）参照）に回動して、左アーム部７５ａを裏板４６方向に押圧し、伝動杆７５を枢軸部７５ｃ周りに矢印Ｌ方向（図１６（ｂ）参照）に回動させて、右アーム部７５ｂが作動杆７３の水平部７３ａを前板４５方向に押圧回動させるので、ラッチ体４７が縦軸線７０周りに矢印Ｍ方向 (図１６（ｂ）参照）に回動して、ラッチ爪４８の孔状係合部４８ａがキャビネット本体４１の係合突起７１から外れて係合解除される。
【００７８】
そして、固定引手部材５１及び左右両指掛け部材５６，６１をさらに手前に引くと、抽斗４２がキャビネット本体４１から引き出される。
【００７９】
以上のことから、第６実施形態のラッチ装置でも、固定引手部材５１及び左右両指掛け部材５６，６１を掴んで手前に引くというワンタッチ的な操作をするだけで、ラッチ体４７をキャビネット本体４１の係合突起７１から係合解除して抽斗４２を簡単に引き出すことができる。なお、第６実施形態のラッチ装置は、鏡板４４の左側に設けたり左右両側に設けたりした場合にも適用できる。
【００８０】
(8).第７実施形態
図１７では把手部材としての指掛け部材の別例である第７実施形態を示している。この第７実施形態では、固定引手部材５１の右ブラケット対５４，５５に対して、左右長手の右指掛け部材６１′が、長手方向中途部に２箇所穿設した貫通穴６２′に、対応するボス部５２をそれぞれ遊嵌させた状態で、基端部の枢支ピン６３′周りに回動可能に枢着されている。また、引手凹所４９の案内穴６６に、指掛け部材６１′の基端部から外向き突出する押圧体としての支持片６１ａ′を貫通させている。その他の構成は、第６実施形態と同様であるので、詳細な説明を省略する。
【００８１】
この場合も、第７実施形態と同様に、固定引手部材５１及び指掛け部材６１′を掴んで手前に引くというワンタッチ的な操作をするだけで、抽斗４２を簡単に引き出すことができる。なお、第７実施形態のラッチ装置は、ラッチ体４７を鏡板４４の左側に設けた場合にも適用できる。
【００８２】
【００８４】
【００８５】
【００８７】
【００８８】
【００８９】
【００９０】
【００９１】
【００９２】
【００９３】
【００９４】
【００９５】
【００９６】
【００９７】
本発明は、前述の実施形態に限らず、様々な態様に具体化できる。例えば、前述した各実施形態のラッチ装置は、いずれも、抽斗にも適用できるし、扉にも適用できる。
【００９８】
【発明の効果】
本願発明のように構成すると、把手部材を掴んで手前に引いた場合は、連動機構を介して前記把手部材に関連させたラッチ体が係合解除方向に回動できるので、前記ラッチ体を家具本体の係止部から係合解除して、前記家具本体から移動体を簡単に引き出すことができる。
【００９９】
【０１００】
したがって、本発明の構成によると、引出し操作をワンタッチ的に容易に行うことができ、家具の使い勝手が向上するという効果を奏するのである。
【図面の簡単な説明】
【図１】第１実施形態のキャビネットの斜視図である。
【図２】図１のＩＩ−ＩＩ視平断面図である。
【図３】図２のＩＩＩ−ＩＩＩ視断面図である。
【図４】図２のＩＶ−ＩＶ視側断面図である。
【図５】図２のＶ−Ｖ視側断面図である。
【図６】図２のＶＩ−ＶＩ視断面図である。
【図７】ラッチ体の取付け態様を示す分離斜視図である。
【図８】連動杆の取付け態様を示す分離斜視図である。
【図９】第２実施形態の連動機構とラッチ体との配置関係を示す概略図であり、（ａ）は鏡板の上下寸法が小さい場合、（ｂ）は鏡板の上下寸法が中程度の場合、（ｃ）は鏡板４の上下寸法が大幅に大きい場合である。
【図１０】第３実施形態の把手部材の安定支持手段を示す平断面図である。
【図１１】参考例を示す平断面図である。
【図１２】第４実施形態の把手部材を示す平断面図である。
【図１３】第５実施形態の押圧体を示す平断面図である。
【図１４】（ａ）は第６実施形態のキャビネットの斜視図、（ｂ）は抽斗の部分斜視図である。
【図１５】鏡板の裏面側から見たラッチ装置の概略図である。
【図１６】把手部材、連動機構及びラッチ体の作動状態を示す斜視図であり、（ａ）は抽斗を閉止した場合、（ｂ）は把手部材を手前に引いた場合である。
【図１７】第７実施形態の把手部材を示す平断面図である。
【符号の説明】
１，４１  キャビネット本体
２，４２  抽斗
４，４４  鏡板
５，４９  引手凹所
８，３６  把手部材としての可動引手部材
８ａ，８ｂ，３６ａ，３６ａ′，６１ａ，６１ａ′  押圧体としての支持片
１３，７１  係止部としての係合突起
１４，４８  ラッチ爪
１５，４７  ラッチ体
１９，３９，４０  作動体としての接当片
２０，３８  連動機構としての連動杆
５６，６１，６１′  把手部材としての指掛け部材
７３  作動体としての作動杆
７５  伝動杆
【図１】
0004659297.tif 000002
【図２】
0004659297.tif 000003
【図３】
0004659297.tif 000004
【図４】
0004659297.tif 000005
【図５】
0004659297.tif 000006
【図６】
0004659297.tif 000007
【図７】
0004659297.tif 000008
【図８】
0004659297.tif 000009
【図９】
0004659297.tif 000010
【図１０】
0004659297.tif 000011
【図１１】
0004659297.tif 000012
【図１２】
0004659297.tif 000013
【図１３】
0004659297.tif 000014
【図１４】
0004659297.tif 000015
【図１５】
0004659297.tif 000016
【図１６】
0004659297.tif 000017
【図１７】
0004659297.tif 000018